【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
ガイドワイヤと共に使用されるカテーテルであって、
ガイドワイヤ管腔と、
前記ガイドワイヤ管腔に出入り可能な閉塞体とを備え、
前記閉塞体は、非作動形態および作動形態を有し、
前記閉塞体が前記非作動形態にあるときに、前記閉塞体は前記ガイドワイヤ管腔の外側にあり、
前記閉塞体が前記作動形態にあるときに、前記閉塞体は前記ガイドワイヤ管腔内にある、カテーテル。
【請求項２】
前記閉塞体が前記ガイドワイヤ管腔の外側にあり、かつ前記ガイドワイヤが前記ガイドワイヤ管腔内にあるときに、前記閉塞体が前記ガイドワイヤの両側にあり、
前記閉塞体が前記ガイドワイヤ管腔内にあり、かつ前記ガイドワイヤが前記ガイドワイヤ管腔内にあるときに、前記閉塞体が前記ガイドワイヤの前記両側にある、請求項１に記載のカテーテル。
【請求項３】
前記閉塞体が前記非作動形態にあるときに、前記閉塞体は、前記ガイドワイヤ管腔の第１の側および前記ガイドワイヤ管腔の第２の側にあり、前記ガイドワイヤ管腔の前記第１の側は、前記ガイドワイヤ管腔の前記第２の側の反対側にあり、
前記閉塞体が前記作動形態にあり、かつ前記ガイドワイヤが前記ガイドワイヤ管腔内にあるときに、前記閉塞体は、前記ガイドワイヤの第１の側および前記ガイドワイヤの第２の側にあり、前記ガイドワイヤの前記第１の側が前記ガイドワイヤの前記第２の側の反対側にあり、これにより、前記閉塞体が前記作動形態にあるときに、前記ガイドワイヤが前記閉塞体の第１の側と前記閉塞体の第２の側との間で圧縮され、前記閉塞体の前記第１の側は、前記閉塞体の前記第２の側の反対側にある、請求項１に記載のカテーテル。
【請求項４】
複数の流体ポートをさらに備え、前記閉塞体が前記ガイドワイヤ管腔内にあるときに、流体が前記流体ポートを通して送達可能である、請求項１に記載のカテーテル。
【請求項５】
前記流体ポートが、前記ガイドワイヤ管腔と流体連通している、請求項４に記載のカテーテル。
【請求項６】
前記閉塞体が前記ガイドワイヤ管腔内にあるときに、前記閉塞体が前記ガイドワイヤ管腔の外側にあるときよりも高い圧力で前記流体ポートを通して流体が送達可能である、請求項４に記載のカテーテル。
【請求項７】
前記閉塞体が第１のガイドワイヤアンカー固定具であり、前記閉塞体が前記作動形態にあるときに、前記閉塞体が前記ガイドワイヤに接触し、前記ガイドワイヤが前記ガイドワイヤ管腔内の所定の位置にアンカー固定され、
前記カテーテルが第２のガイドワイヤアンカー固定具を含み、前記閉塞体が前記作動形態にあり、かつ前記第２のガイドワイヤアンカー固定具が作動形態にあり、かつ前記カテーテルが体腔内にあるときに、前記ガイドワイヤが前記体腔内の所定の位置にアンカー固定される、請求項１に記載のカテーテル。
【請求項８】
ガイドワイヤと共に使用されるカテーテルであって、
閉塞体と、
前記閉塞体を介して開閉可能なガイドワイヤ管腔とを備え、
前記閉塞体は、非作動形態および作動形態を有し、
前記閉塞体が前記非作動形態にあるときに、前記ガイドワイヤ管腔が開放され、
前記閉塞体が前記作動形態にあるときに、前記ガイドワイヤ管腔が閉鎖される、カテーテル。
【請求項９】
複数の流体ポートをさらに備え、同流体ポートは、複数の側面ポートおよび遠位側末端ポートを含み、前記ガイドワイヤ管腔が開放されているときには、流体は、前記側面ポートおよび前記遠位側末端ポートを通して送達可能であり、また、前記ガイドワイヤ管腔が閉鎖しているときには、前記閉塞体は、前記遠位側末端ポートを通した流れを閉塞し、流体は、前記側面ポートを通して送達可能である、請求項８に記載のカテーテル。
【請求項１０】
複数の流体ポートをさらに備え、流体は、前記ガイドワイヤ管腔が閉鎖されているときに、前記ガイドワイヤ管腔が開放されているときよりも高い圧力で前記流体ポートを通して送達可能である、請求項８に記載のカテーテル。
【請求項１１】
複数の流体ポートをさらに備え、前記流体ポートは、前記閉塞体が前記非作動形態にあるとき、および前記閉塞体が前記作動形態にあるときに、前記ガイドワイヤ管腔と流体連通している、請求項８に記載のカテーテル。
【請求項１２】
前記閉塞体が前記作動形態にあるときの方が、前記閉塞体が前記非作動形態にあるときよりも長い、請求項８に記載のカテーテル。
【請求項１３】
ガイドワイヤと共に使用されるカテーテルであって、
ガイドワイヤ管腔と、
非作動形態および作動形態を有する閉塞体とを備え、
前記閉塞体は、前記ガイドワイヤ管腔の壁部に出入り可能であり、
前記閉塞体が前記非作動形態にあるときに、前記閉塞体は前記壁部内にあり、
前記閉塞体が前記作動形態にあるときに、前記閉塞体は前記壁部の外側にある、カテーテル。
【請求項１４】
前記閉塞体が前記壁部内にあるときに、前記閉塞体は、前記ガイドワイヤ管腔の第１の側および前記ガイドワイヤ管腔の第２の側にあり、前記ガイドワイヤ管腔の前記第１の側は、前記ガイドワイヤ管腔の前記第２の側の反対側にあり、
前記閉塞体が前記壁部の外側にあり、かつ前記ガイドワイヤが前記ガイドワイヤ管腔内にあるときに、前記閉塞体は、前記ガイドワイヤの第１の側および前記ガイドワイヤの第２の側にあり、前記ガイドワイヤの前記第１の側が前記ガイドワイヤの前記第２の側の反対側にあり、これにより、前記閉塞体が前記作動形態にあるときに、前記ガイドワイヤが前記閉塞体の第１の側と前記閉塞体の第２の側との間で圧縮され、前記閉塞体の前記第１の側は、前記閉塞体の前記第２の側の反対側にある、請求項１３に記載のカテーテル。
【請求項１５】
前記閉塞体が、前記壁部の凹部に出入り可能であり、
前記閉塞体が前記非作動形態にあるときに、前記閉塞体は前記凹部内にあり、
前記閉塞体が前記作動形態にあるときに、前記閉塞体は前記凹部の外側にある、請求項１３に記載のカテーテル。
【請求項１６】
前記閉塞体が前記作動形態にあるときに、前記閉塞体は前記凹部内にある、請求項１５に記載のカテーテル。
【請求項１７】
前記閉塞体が前記非作動形態にあるときに、前記閉塞体は、前記凹部の近位側末端部と前記凹部の遠位側末端部との間にあり、
前記閉塞体が前記作動形態にあるときに、前記閉塞体は、前記凹部の前記近位側末端部よりも近位側にあり、かつ前記凹部の前記遠位側末端部よりも遠位側にある、請求項１５に記載のカテーテル。
【請求項１８】
複数の流体ポートをさらに備え、前記閉塞体が前記非作動形態にあるときに、流体が第１の圧力で前記流体ポートを通して送達可能であり、
前記閉塞体が前記作動形態にあるときに、流体が前記第１の圧力よりも高い第２の圧力で前記流体ポートを通して送達可能である、請求項１３に記載のカテーテル。
【請求項１９】
複数の流体ポートをさらに備え、前記閉塞体が前記非作動形態にあるときに前記流体ポートが開放されており、前記閉塞体が前記非作動形態にあるときに開放されている前記流体ポートのうちの１つが、前記閉塞体が前記作動形態にあるときに閉鎖されている、請求項１３に記載のカテーテル。
【請求項２０】
複数の流体ポートをさらに備え、同流体ポートは、前記壁部を通って延びる側面ポートを含み、前記流体ポートは、前記ガイドワイヤ管腔の遠位側末端開口部を含み、前記閉塞体が前記非作動形態にあるときに、流体は、前記側面ポートおよび前記ガイドワイヤ管腔の前記遠位側末端開口部を通って流動可能であり、また、前記閉塞体が前記作動形態にあるとき、流体は前記側面ポートを通って流動可能であり、前記閉塞体が前記作動形態にあるときは、前記閉塞体が前記非作動形態にあるときよりも、前記ガイドワイヤ管腔の前記遠位側末端開口部を通って流動可能な流体がより少ない、請求項１３に記載のカテーテル。